【手続補正書】
【提出日】平成18年11月21日(2006.11.21)
【手続補正１】
【補正対象書類名】明細書
【補正対象項目名】特許請求の範囲
【補正方法】変更
【補正の内容】
【特許請求の範囲】
【請求項１】  内側ジンバルと、
内側ジンバルに結合された横揺れモータと、
内側ジンバルを回転可能に支持する外側ジンバルと、
外側ジンバルに結合された縦揺れモータと、
横揺れモータおよび縦揺れモータを制御する制御装置と、
内側ジンバルに結合された第１ランプと、
内側ジンバルに結合されたノズルと、
ノズルに結合された加圧水供給源と、
を含む装飾ウォータ・ディスプレイ。
【請求項２】  外側ジンバルを回転可能に支持するフレームと、
フレームに結合され、フレームの高さを調節する昇降機構と、
をさらに含む請求項１に記載の装飾ウォータ・ディスプレイ。
【請求項３】  ノズルが垂直から第２角度に移動するとき、第１ランプが垂直から第２角度よりも大きい第１角度に移動する請求項１に記載の装飾ウォータ・ディスプレイ。
【請求項４】  ノズルが内側ジンバルに回転可能に結合されており、装飾ウォータ・ディスプレイが第１端と第２端を有するトラッキング・リンクをさらに含んでおり、トラッキング・リンクは、第１端においてノズルに回転可能に結合され、第２端において取り付けられたピンに結合されてノズルの回転運動の方向に回転可能である請求項３に記載の装飾ウォータ・ディスプレイ。
【請求項５】  第１ランプが内側ジンバルに回転可能に結合され、装飾ウォータ・ディスプレイが第１端と第２端を有するトラッキング・リンクをさらに含み、トラッキング・リンクは第１端において第１ランプに回転可能に結合され、第２端において取り付けられたピンにより第１ランプの回転運動の方向に回転可能に結合されている請求項３に記載の装飾ウォータ・ディスプレイ。
【請求項６】  第２ランプをさらに含み、第２ランプは、ノズルが垂直から第２角度に移動するとき第２ランプが垂直から第２角度に移動するように内側ジンバルに強固に結合されている請求項３に記載の装飾ウォータ・ディスプレイ。
【請求項７】  昇降機構がさらに、
支持構造物と、
第１端と、所定の長さと、その長さに沿ったある点とを有するレバーであって、その第１端がフレームに結合され、レバーの長さに沿った点で支持構造物に回転可能に結合されたレバーと、
を含む請求項２に記載の装飾ウォータ・ディスプレイ。
【請求項８】  レバーが第２端を有し、昇降機構が第１端と第２端を有するアクチュエータをさらに含み、アクチュエータの第１端はレバーの第２端に結合され、アクチュエータの第２端は支持構造物に結合され、アクチュエータは制御信号に応答してレバーの第２端を第１位置および第２位置に動かし、それによってフレームの高さを第１高さおよび第２高さに調節する請求項７に記載の装飾ウォータ・ディスプレイ。
【請求項９】  アクチュエータがさらに制御信号に応答してレバーの第２端を第３位置に動かし、それによってフレームの高さを第３高さに調節する請求項８に記載の装飾ウォータ・ディスプレイ。
【請求項１０】  支持構造物が地面に固定されている請求項７に記載の装飾ウォータ・ディスプレイ。
【請求項１１】  昇降機構がさらに、第１端と第２端を有する安定化リンクを含み、レバーの第１端はフレーム上の第１点に回転可能に結合され、安定化リンクの第１端はフレーム上の第２点に回転可能に結合され、安定化リンクの第２端は支持構造物に回転可能に結合され、その結果フレーム、レバー、支持構造物、および安定化リンクが、支持構造物に対して固定した向きにフレームを維持する平行四辺形リンクを形成する請求項７に記載の装飾ウォータ・ディスプレイ。
【請求項１２】  ノズルが、ウォータ・ガイドと、ウォータ・ガイドの周りに配置されたハウジングと、ウォータ・ガイドおよびハウジングに結合されハウジングに対してウォータ・ガイドを移動させるスプレー調節器とを含む請求項１に記載の装飾ウォータ・ディスプレイ。
【請求項１３】  ノズルが消火ホース・ノズルである請求項１２に記載の装飾ウォータ・ディスプレイ。
【請求項１４】 制御装置、および昇降機構の少なくとも１つに結合された制御可能な補助サービスをさらに含み、補助サービスは電気、空気、水の少なくとも１つを含む請求項２に記載の装飾ウォータ・ディスプレイ。
【請求項１５】  スプレー調節器が、ウォータ・ガイドとハウジングを調節可能に結合するねじ付きカップリングと、ねじ付きカップリングを回転させてハウジングに対してウォータ・ガイドを移動させるウォームねじ機構と、ウォームねじ機構に結合されてウォームねじ機構を移動させるウォームねじモータと、をさらに含む請求項１２に記載の装飾ウォータ・ディスプレイ。
【請求項１６】  ジンバルと、
ジンバルに結合された横揺れモータと、
ジンバルに結合されたノズルと、
ノズルに結合された加圧水供給源と、
ジンバルを回転可能に支持する回転可能なフレームと、
フレームに結合された片揺れモータと、
横揺れモータおよび片揺れモータを制御する制御装置と、
ジンバルに結合された第１ランプと、
を含む装飾ウォータ・ディスプレイ。
【請求項１７】  片揺れモータに結合され、それによってフレームの高さを調節する昇降機構をさらに含む請求項１６に記載の装飾ウォータ・ディスプレイ。
【請求項１８】  ノズルが垂直から第２角度に移動するとき、第１ランプが垂直から第２角度よりも大きい１角度に移動する請求項１６に記載の装飾ウォータ・ディスプレイ。
【請求項１９】  ノズルがジンバルに回転可能に結合され、装飾ウォータ・ディスプレイが第１端と第２端を有するトラッキング・リンクをさらに含み、トラッキング・リンクは、第１端においてノズルに回転可能に結合され、第２端において取り付けられたピンに結合されてノズルの回転運動の方向に回転可能である請求項１８に記載の装飾ウォータ・ディスプレイ。
【請求項２０】  第１ランプがジンバルに回転可能に結合され、装飾ウォータ・ディスプレイが第１端と第２端を有するトラッキング・リンクをさらに含み、トラッキング・リンクは第１端において第１ランプに回転可能に結合され、第２端において取り付けられたピンにより第１ランプの回転運動の方向に回転可能に結合されている請求項１８に記載の装飾ウォータ・ディスプレイ。
【請求項２１】  第２ランプをさらに含み、第２ランプは、ノズルが垂直から第２角度に移動するとき第２ランプが垂直から第２角度に移動するようにジンバルに強固に結合されている請求項１８に記載の装飾ウォータ・ディスプレイ。
【請求項２２】  昇降機構がさらに、
支持構造物と、
第１端と、所定の長さと、長さに沿ったある点を有するレバーであって、その第１端において片揺れモータに結合され、レバーの長さに沿った点で支持構造物に回転可能に結合されたレバーと、
を含む請求項１７に記載の装飾ウォータ・ディスプレイ。
【請求項２３】  レバーが第２端を有し、昇降機構が第１端と第２端を有するアクチュエータをさらに含み、アクチュエータの第１端はレバーの第２端に結合され、アクチュエータの第２端は支持構造物に結合され、アクチュエータは制御信号に応答してレバーの第２端を第１位置および第２位置に移動し、それによってフレームの高さを第１高さおよび第２高さに調節する請求項２２に記載の装飾ウォータ・ディスプレイ。
【請求項２４】  アクチュエータがさらに制御信号に応答してレバーの第２端を第３位置に移動し、それによってフレームの高さを第３高さに調節する請求項２３に記載の装飾ウォータ・ディスプレイ。
【請求項２５】  支持構造物が地面に固定されている請求項２２に記載の装飾ウォータ・ディスプレイ。
【請求項２６】  昇降機構がさらに、第１端と第２端を有する安定化リンクを含み、レバーの第１端は片揺れモータ上の第１点に回転可能に結合され、安定化リンクの第１端は片揺れモータ上の第２点に回転可能に結合され、安定化リンクの第２端は支持構造物に回転可能に結合され、その結果片揺れモータ、レバー、支持構造物、および安定化リンクが、支持構造物に対して固定した向きに片揺れモータを維持する平行四辺形リンクを形成する請求項２２に記載の装飾ウォータ・ディスプレイ。
【請求項２７】  ノズルが、ウォータ・ガイドと、ウォータ・ガイドの周りに配置されたハウジングと、ウォータ・ガイドとハウジングに結合されハウジングに対してウォータ・ガイドを移動させるスプレー調節器とを含む請求項１６に記載の装飾ウォータ・ディスプレイ。
【請求項２８】  ノズルが消火ホース・ノズルである請求項２７に記載の装飾ウォータ・ディスプレイ。
【請求項２９】 制御装置、および昇降機構の少なくとも１つに結合された制御可能な補助サービスをさらに含み、補助サービスは電気、空気、水の少なくとも１つを含む請求項１７に記載の装飾ウォータ・ディスプレイ。
【請求項３０】  スプレー調節器が、ウォータ・ガイドとハウジングを調節可能に結合するねじ付きカップリングと、ねじ付きカップリングを回転させてハウジングに対してウォータ・ガイドを移動させるウォームねじ機構と、ウォームねじ機構に結合されてウォームねじ機構を移動させるウォームねじモータと、をさらに含む請求項２７に記載の装飾ウォータ・ディスプレイ。
【請求項３１】  加圧水供給源がポンプである請求項１に記載の装飾ウォータ・ディスプレイ。
【請求項３２】  加圧水供給源が可変周波数ポンプである請求項１に記載の装飾ウォータ・ディスプレイ。
【請求項３３】  横揺れモータと縦揺れモータの少なくとも一つが密封電動サーボ・モータである請求項１に記載の装飾ウォータ・ディスプレイ。
【請求項３４】  加圧水供給源がポンプである請求項１６に記載の装飾ウォータ・ディスプレイ。
【請求項３５】  加圧水供給源が可変周波数ポンプである請求項１６に記載の装飾ウォータ・ディスプレイ。
【請求項３６】  横揺れモータと縦揺れモータの少なくとも一つが密封電動サーボ・モータである請求項１６に記載の装飾ウォータ・ディスプレイ。
【請求項３７】  ノズルと、
ノズルに結合された加圧水供給源と、
第１ランプと、
第１回転軸と第２回転軸とを有しており、第２軸は第１軸と直交しており、ノズルおよび第１ランプを移動可能に支持するジンバル・アセンブリと、
ジンバル・アセンブリに結合されて第１軸周りにジンバル・アセンブリ、ノズル、および第１ランプを第１位置に回転させる第１駆動システムと、
ジンバル・アセンブリに結合されて第２軸周りにジンバル・アセンブリ、ノズル、および第１ランプを第２位置に回転させる第２駆動システムと、
第１および第２駆動システムを制御する制御装置と、
を含む装飾ウォータ・ディスプレイ。
【請求項３８】  第１軸および第２軸が水平である請求項３７に記載の装飾ウォータ・ディスプレイ。
【請求項３９】  第１軸が水平で、第２軸が垂直である請求項３７に記載の装飾ウォータ・ディスプレイ。
【請求項４０】  ノズルが垂直から第２角度に移動するとき、第１ランプが垂直から第２角度よりも大きい第１角度に移動する請求項３７に記載の装飾ウォータ・ディスプレイ。
【請求項４１】  ノズルがジンバル・アセンブリに回転可能に結合され、装飾ウォータ・ディスプレイが第１端と第２端を有するトラッキング・リンクをさらに含み、トラッキング・リンクは、第１端においてノズルに回転可能に結合され、第２端において取り付けられたピンに結合されてノズルの回転運動の方向に回転可能である請求項４０に記載の装飾ウォータ・ディスプレイ。
【請求項４２】  第１ランプがジンバル・アセンブリに回転可能に結合され、装飾ウォータ・ディスプレイが第１端と第２端を有するトラッキング・リンクをさらに含み、トラッキング・リンクは第１端において第１ランプに回転可能に結合され、第２端において取り付けられたピンにより第１ランプの回転運動の方向に回転可能に結合されている請求項４０に記載の装飾ウォータ・ディスプレイ。
【請求項４３】  第２ランプをさらに含み、第２ランプは、ノズルが垂直から第２角度に移動するとき第２ランプが垂直から第２角度に移動するようにジンバル・アセンブリに強固に結合されている請求項４０に記載の装飾ウォータ・ディスプレイ。
【請求項４４】  ジンバル・アセンブリと結合され、ジンバル・アセンブリの昇降を調整する昇降機構をさらに含む請求項３７に記載の装飾ウォータ・ディスプレイ。
【請求項４５】  制御装置、および昇降機構の少なくとも１つに結合された制御可能な補助サービスをさらに含み、補助サービスは電気、空気、水の少なくとも１つを含む請求項４４に記載の装飾ウォータ・ディスプレイ。
【請求項４６】  昇降機構がさらに、
支持構造物と、
第１端と、所定の長さと、長さに沿ったある点を有するレバーであって、その第１端においてジンバル・アセンブリに結合され、レバーの長さに沿った点で支持構造物に回転可能に結合されたレバーと、
を含む請求項４４に記載の装飾ウォータ・ディスプレイ。
【請求項４７】  支持構造物が地面に固定されている請求項４６に記載の装飾ウォータ・ディスプレイ。
【請求項４８】  昇降機構がさらに、第１端と第２端を有する安定化リンクを含み、レバーの第１端はジンバル・アセンブリ上の第１点に回転可能に結合され、安定化リンクの第１端はジンバル・アセンブリの第２点に回転可能に結合され、安定化リンクの第２端は支持構造物に回転可能に結合され、その結果フレーム、レバー、支持構造物、および安定化リンクが、支持構造物に対して固定した向きにジンバル・アセンブリを維持する平行四辺形リンクを形成する請求項４６に記載の装飾ウォータ・ディスプレイ。
【請求項４９】  レバーが第２端を有し、昇降機構が第１端と第２端を有するアクチュエータをさらに含み、アクチュエータの第１端はレバーの第２端に結合され、アクチュエータの第２端は支持構造物に結合され、アクチュエータは制御信号に応答してレバーの第２端を第１位置および第２位置に動かし、それによってジンバル・アセンブリの高さを第１高さおよび第２高さに調節する請求項４８に記載の装飾ウォータ・ディスプレイ。
【請求項５０】  アクチュエータがさらに制御信号に応答してレバーの第２端を第３位置に動かし、それによってジンバル・アセンブリの高さを第３高さに調節する請求項４９に記載の装飾ウォータ・ディスプレイ。
【請求項５１】  ノズルが、ウォータ・ガイドと、ウォータ・ガイドの周りに配置されたハウジングと、ウォータ・ガイドおよびハウジングに結合されハウジングに対してウォータ・ガイドを移動させるスプレー調節器とを含む請求項３７に記載の装飾ウォータ・ディスプレイ。
【請求項５２】  ノズルが消火ホース・ノズルである請求項５１に記載の装飾ウォータ・ディスプレイ。
【請求項５３】  スプレー調節器が、ウォータ・ガイドとハウジングを調節可能に結合するねじ付きカップリングと、ねじ付きカップリングを回転させてハウジングに対してウォータ・ガイドを移動させるウォームねじ機構と、ウォームねじ機構に結合されてウォームねじ機構を移動させるウォームねじモータと、をさらに含む請求項５１に記載の装飾ウォータ・ディスプレイ。
【請求項５４】  加圧水供給源がポンプである請求項３７に記載の装飾ウォータ・ディスプレイ。
【請求項５５】  加圧水供給源が可変周波数ポンプである請求項３７に記載の装飾ウォータ・ディスプレイ。
【請求項５６】  第１駆動システムと第２駆動システムの少なくとも一つが密封電動サーボ・モータである請求項３７に記載の装飾ウォータ・ディスプレイ。
【請求項５７】    ノズルと、
ノズルに結合された加圧水供給源と、
第１ランプと、
第１回転軸と第２回転軸とを有しており、第２軸は第１軸と直交しており、ノズルおよび第１ランプを移動可能に支持するジンバル・アセンブリと、
ジンバル・アセンブリに結合されて第１軸周りにジンバル・アセンブリ、ノズル、および第１ランプを第１位置に回転させる第１電動サーボ・モータと、
ジンバル・アセンブリに結合されて第２軸周りにジンバル・アセンブリ、ノズル、および第１ランプを第２位置に回転させる第２電動サーボ・モータと、
第１および第２電動サーボ・モータを制御する制御装置と、
を含む装飾ウォータ・ディスプレイ。
【請求項５８】  第１軸および第２軸が水平である請求項５７に記載の装飾ウォータ・ディスプレイ。
【請求項５９】  第１軸が水平で、第２軸が垂直である請求項５７に記載の装飾ウォータ・ディスプレイ。
【請求項６０】  ノズルが垂直から第２角度に移動するとき、第１ランプが垂直から第２角度よりも大きい第１角度に移動する請求項５７に記載の装飾ウォータ・ディスプレイ。
【請求項６１】  ノズルがジンバル・アセンブリに回転可能に結合され、装飾ウォータ・ディスプレイが第１端と第２端を有するトラッキング・リンクをさらに含み、トラッキング・リンクは、第１端においてノズルに回転可能に結合され、第２端において取り付けられたピンに結合されてノズルの回転運動の方向に回転可能である請求項６０に記載の装飾ウォータ・ディスプレイ。
【請求項６２】  第１ランプがジンバル・アセンブリに回転可能に結合され、装飾ウォータ・ディスプレイが第１端と第２端を有するトラッキング・リンクをさらに含み、トラッキング・リンクは第１端において第１ランプに回転可能に結合され、第２端において取り付けられたピンにより第１ランプの回転運動の方向に回転可能に結合されている請求項６０に記載の装飾ウォータ・ディスプレイ。
【請求項６３】  第２ランプをさらに含み、第２ランプは、ノズルが垂直から第２角度に移動するとき第２ランプが垂直から第２角度に移動するようにジンバル・アセンブリに強固に結合されている請求項６０に記載の装飾ウォータ・ディスプレイ。
【請求項６４】  ジンバル・アセンブリと結合され、ジンバル・アセンブリの昇降を調整する昇降機構をさらに含む請求項５７に記載の装飾ウォータ・ディスプレイ。
【請求項６５】  制御装置、および昇降機構の少なくとも１つに結合された制御可能な補助サービスをさらに含み、補助サービスは電気、空気、水の少なくとも１つを含む請求項６４に記載の装飾ウォータ・ディスプレイ。
【請求項６６】  昇降機構がさらに、
支持構造物と、
第１端と、所定の長さと、長さに沿ったある点を有するレバーであって、その第１端においてジンバル・アセンブリに結合され、レバーの長さに沿った点で支持構造物に回転可能に結合されたレバーと、
を含む請求項６４に記載の装飾ウォータ・ディスプレイ。
【請求項６７】  支持構造物が地面に固定されている請求項６６に記載の装飾ウォータ・ディスプレイ。
【請求項６８】  昇降機構がさらに、第１端と第２端を有する安定化リンクを含み、レバーの第１端はジンバル・アセンブリ上の第１点に回転可能に結合され、安定化リンクの第１端はジンバル・アセンブリの第２点に回転可能に結合され、安定化リンクの第２端は支持構造物に回転可能に結合され、その結果フレーム、レバー、支持構造物、および安定化リンクが、支持構造物に対して固定した向きにジンバル・アセンブリを維持する平行四辺形リンクを形成する請求項６６に記載の装飾ウｑォータ・ディスプレイ。
【請求項６９】  レバーが第２端を有し、昇降機構が第１端と第２端を有するアクチュエータをさらに含み、アクチュエータの第１端はレバーの第２端に結合され、アクチュエータの第２端は支持構造物に結合され、アクチュエータは制御信号に応答してレバーの第２端を第１位置および第２位置に動かし、それによってジンバル・アセンブリの高さを第１高さおよび第２高さに調節する請求項６６に記載の装飾ウォータ・ディスプレイ。
【請求項７０】  アクチュエータがさらに制御信号に応答してレバーの第２端を第３位置に動かし、それによってジンバル・アセンブリの高さを第３高さに調節する請求項６９に記載の装飾ウォータ・ディスプレイ。
【請求項７１】  ノズルが、ウォータ・ガイドと、ウォータ・ガイドの周りに配置されたハウジングと、ウォータ・ガイドおよびハウジングに結合されハウジングに対してウォータ・ガイドを移動させるスプレー調節器とを含む請求項５７に記載の装飾ウォータ・ディスプレイ。
【請求項７２】  ノズルが消火ホース・ノズルである請求項７１に記載の装飾ウォータ・ディスプレイ。
【請求項７３】  スプレー調節器が、ウォータ・ガイドとハウジングを調節可能に結合するねじ付きカップリングと、ねじ付きカップリングを回転させてハウジングに対してウォータ・ガイドを移動させるウォームねじ機構と、ウォームねじ機構に結合されてウォームねじ機構を移動させる電動サーボ・モータと、をさらに含む請求項７１に記載の装飾ウォータ・ディスプレイ。
【請求項７４】  加圧水供給源がポンプである請求項５７に記載の装飾ウォータ・ディスプレイ。
【請求項７５】  加圧水供給源が可変周波数ポンプである請求項５７に記載の装飾ウォータ・ディスプレイ。